(57)【要約】【課題】一体型植栽緑化壁の提供。【解決手段】本発明の一体型植栽緑化壁は、ベース座部、メインパネル、給水モジュール、空気ガイドモジュールを含む。ベース座部は第１面と第２面を備え、第１面に被照射エリアと、被照射エリア上に位置する複数の凹槽部が設けられ、複数の凹槽部は複数の栽培植物を入れるために用いられる。メインパネルはベース座部上に被照射エリアから突出して配置される。光源モジュールはメインパネルに配置され、被照射エリアに向かって光を投射し、栽培植物に照射する。そのうち、光源モジュールは複数のＬＥＤと制御装置を含み、制御装置はＬＥＤの光線パラメータの調整に用いられる。給水モジュールはベース座部に配置され、栽培植物に給水するために用いられる。空気ガイドモジュールはベース座部上に配置され、空気の流動を強化する。【選択図】図１
2013128483.tif 000002
【特許請求の範囲】
【請求項１】
一体型植栽緑化壁であって、
第１面と第２面を含み、前記第１面が被照射エリアと、前記被照射エリア上に配置され、複数の栽培植物を入れるために用いられる複数の凹槽部を含むベース座部と、
前記ベース座部上に前記被照射エリアから突出して配置されたメインパネルと、
複数のＬＥＤと、前記ＬＥＤの光線パラメータを調整するために用いられる制御装置を含み、前記メインパネルに配置され、前記被照射エリアに向けて光を投射し、前記栽培植物上に照射する光源モジュールと、
前記ベース座部に配置され、前記栽培植物に給水するために用いられる給水モジュールと、
前記ベース座部上に配置され、空気の流通を強化する空気ガイドモジュールと、
を含むことを特徴とする、
一体型植栽緑化壁。
【請求項２】
前記メインパネルの二側にレールが設置され、前記メインパネルが前記レールに沿って移動され、前記光源モジュールが光を前記栽培植物に投射する角度が調整されることを特徴とする、請求項１に記載の一体型植栽緑化壁。
【請求項３】
前記光源モジュールが、前記メインパネルの固定位置に沿って角度調整され、光を前記栽培植物に投射することを特徴とする、請求項１に記載の一体型植栽緑化壁。
【請求項４】
さらに前記ベース座部の前記第１面と前記第２面の間に配置された殺菌ランプを含み、前記殺菌ランプが光触媒ランプまたは紫外線ランプであることを特徴とする、請求項１に記載の一体型植栽緑化壁。
【請求項５】
さらに前記ベース座部または前記光源モジュールに配置された複数のスプリンクラーヘッドを含み、液体水の散布に用いられることを特徴とする、請求項１に記載の一体型植栽緑化壁。
【請求項６】
さらに少なくとも１つのライトバーを含み、前記ライトバーが前記メインパネルに旋回可能に設置され、異なる角度で前記被照射エリアに向けて光を投射でき、前記栽培植物上に照射することを特徴とする、請求項１に記載の一体型植栽緑化壁。
【請求項７】
さらに前記ベース座部の前記第１面と前記第２面の間に配置された竹炭を含み、有機気体を吸着して空気を浄化するために用いられることを特徴とする、請求項１に記載の一体型植栽緑化壁。
【請求項８】
さらに前記ベース座部に配置された加湿噴霧器を含み、前記加湿噴霧器に導引管が連結され、前記導引管が霧を前記栽培植物に向けて噴霧することを特徴とする、請求項１に記載の一体型植栽緑化壁。
【発明の詳細な説明】
【技術分野】
【０００１】
本発明は一体型植栽緑化壁に関し、特に、一体型の給光と、投射する光源の範囲を調整する機能を提供する植栽緑化壁に関する。
【背景技術】
【０００２】
植栽装置は植栽網を壁面や柵のフェンス上に取り付けさせたものが一般的であり、該植栽網は各種現場施工方法で柵のフェンス上に取り付けられ、屋外に比較的よく設置される。これにより本来効果的に植栽できない従来の柵や壁面上に安定的で十分な量の植物が生長できる条件を提供し、柵の緑化という効果を達することができる。
【０００３】
住居の屋内環境の緑化方法を見ると、ほとんどが植物の栽培が主であり、例えば家の庭に大きな花壇を作って栽培したり、住宅の入り口周辺やベランダ等の場所に緑の鉢植えを置いたりして環境の緑化を図っている。このため、現在ほとんどの住居環境の緑化方法は空間がなければ植物を配置することができず、環境中のあらゆる場所での栽培に柔軟に適用することはできない。
【０００４】
屋内で栽培する植栽装置は、周囲外部にライトを取り付け、光線を植栽装置に植えた植物上に照射して生長させる。例えば、壁面上にライトを設置して光を提供したり、植栽装置の両側にライトをそれぞれ設置して光を提供したり、或いは植栽装置から離れた前方の通路上にライトを設置して光を提供したりしている。このことから分かるように、従来のライトは植栽装置から分離された形式で、別途設置する必要があるため、植栽装置と一緒に移動させることはできない。あらゆる場所の植栽装置に光源を提供する必要がある場合、ライトを適切な位置に取り付ける必要がある。
前述から派生する問題として、例えば次のような問題がある。
光源が不均一になる：壁面上にライトを取り付けて、ライトを固定するが、照射される光源の強度が遠近異なる位置の植物上で不均一になる。
時間がかかる：別途ライトを取り付ける時間が必要である。
光の調整が不便：ライトの照射角度、範囲を繰り返し調整しなければならない。
環境破壊：壁面上にボルトで固定する際にボルトが壁面に孔を形成する。
光源を正確に照射できない：光源が植栽装置の外部に向かって照射されやすく、使用者の眼に刺激を与えることがある。
照射効果に優れない：通路上の光源が通過する使用者によって遮られやすい。
【０００５】
このため、光の投射効果に優れ、環境に影響せず、外観が高品質の住居環境を形成し、かつ省エネ機能を兼ね備えた、住居環境中で栽培に使用できる植栽装置をいかに提供するかが、本発明の発明者及び関連業界の技術分野に従事する者が改善を図るべき課題である。
【発明の概要】
【発明が解決しようとする課題】
【０００６】
上述に鑑み、本発明の目的は、一体型植栽緑化壁を提供することにある。
【課題を解決するための手段】
【０００７】
本発明の一体型植栽緑化壁は、ベース座部、メインパネル、給水モジュール、空気ガイドモジュールを含む。ベース座部は第１面と第２面を備え、第１面に被照射エリアと、被照射エリア上に位置する複数の凹槽部が設けられ、複数の凹槽部は複数の栽培植物を入れるために用いられる。メインパネルはベース座部上に被照射エリアから突出して配置される。
光源モジュールはメインパネルに配置され、被照射エリアに向かって光を投射し、栽培植物に照射する。そのうち、光源モジュールは複数のＬＥＤと制御装置を含み、制御装置はＬＥＤの光線パラメータの調整に用いられる。給水モジュールはベース座部に配置され、栽培植物に給水するために用いられる。空気ガイドモジュールはベース座部上に配置され、空気の流動を強化する。
【発明の効果】
【０００８】
本発明は一体型の構造であり、ベース座部、メインパネル、光源モジュール、給水モジュール、空気ガイドモジュールを結合して植栽緑化壁システムとしており、住居のあらゆる場所に設置して使用することができ、別途ライトや給水装置を取り付けなければならないという問題がなく、使用上非常に便利である。
このほか、本発明は可動引き出し式のメインパネルを利用して、メインパネルの伸縮により光源モジュールの光が栽培植物上に投射される範囲を調整でき、同時にメインパネルを収容した後は、一体型植栽緑化壁の外観が平らに整い、花がいっぱいに描かれた壁画のように使用者の鑑賞に供することができる。
また、外部空気が第１面の各栽培植物を通過して通孔に入り、第２面の通路に進入した後、空気を濾過する効果が形成され、その後空気ガイドモジュールを利用し、濾過後の空気を出風口から排出し、空気浄化の循環を形成する。そのうち、紫外線ランプの照射と光触媒の殺菌効果により、空気浄化機能を備えた植栽緑化壁システムを提供することもできる。
このほか、スプリンクラーヘッドを光源モジュール両側に配置し、かつ給水モジュールに連結して、栽培植物の葉が生長する部位に向けスプリンクラーヘッドで水を散布することができる。
【０００９】
本発明の最良の実施例及びその効果について、図面を組み合わせて以下で詳細に説明する。
【図面の簡単な説明】
【００１０】
【図１】本発明の実施例１の側面図である。
【図２】本発明の実施例１側面図である。
【図３】メインパネルの別の態様を示す立体図である。
【図４】図３の側面図である。
【図５】本発明の投射光源の別の態様を示す立体図である。
【図６】本発明の実施例２の外観図である。
【図７】本発明の実施例２の立体分解図である。
【図８】本発明の実施例２の正面図である。
【図９】図８のＡ部分の拡大図である。
【図１０】本発明の側面断面図である。
【図１１】図１０のＢ部分の拡大図である。
【図１２】本発明のスプリンクラーヘッドの別の態様を示す立体図である。
【図１３】本発明のスプリンクラーヘッドの別の態様を示す側面断面図である。
【発明を実施するための形態】
【００１１】
本発明は一体型植栽緑化壁１を開示する。この一体型植栽緑化壁１は各種栽培植物２の栽培に用いることができ、栽培植物２は各種鑑賞用の植物、屋内の空気を浄化できる植物、食用の小型葉野菜または果物、ハーブ、漢方薬草などが好ましい。かつ、屋内空間に配置できるものが好ましく、これにより住居環境を美化し、生活品質と質の高い感覚を向上することができる。栽培植物２は小型の開花植物が好ましいが、上述の栽培植物２の種類は例示のために挙げたのみであり、本発明はこれに限らない。
【実施例１】
【００１２】
図１、図２、図３、図４、図５に本発明の一体型植栽緑化壁を示す。図１に実施例１の側面図、図２に実施例１の側面図、図３にメインパネルの別の態様の立体図、図４に図３の側面図、図５に投射光源の別の態様の立体図をそれぞれ示す。
【００１３】
一体型植栽緑化壁１は、ベース座部１１、メインパネル１２、光源モジュール１３、給水モジュール１４を含む。
【００１４】
ベース座部１１は、真っ直ぐに立った状態であることが好ましく、前方に矩形のアレイ状に配列された複数の栽培植物２を入れるための複数の凹槽部１１１を備え、各栽培植物２の生長のために供される被照射エリア１１２が複数の凹槽部１１１前方に位置する。ここで、ベース座部１１は一種の積載体であり、ベース座部１１上に任意の栽培作物を入れることができる。
【００１５】
いくつかの実施例において、ベース座部１１上にはさらに複数のサブパネル１２ａ（図５参照）が設けられ、各サブパネル１２ａは前記ベース座部１１上に取り付けられ、かつメインパネル１２に合わせベース座部１１の四周の外周位置に対応して配置される。かつ各サブパネル１２ａ上には補助光源モジュール１３ａが設置され、補助光源モジュール１３ａは傾斜角度を形成して被照射エリア１１２に向け前記栽培植物２上に光を均一に照射し、四周の隅に位置する栽培植物２も均一な光の照射を受けられるようにする。
【００１６】
メインパネル１２は前記ベース座部１１の上方に取り付けられ、ベース座部１１上方に連結され突出した固定式のひさし（図３参照）が好ましいが、これに限らない。いくつかの実施例において、メインパネル１２は可動式（図１、図６、図７参照）として形成され、メインパネル１２の両側にレール１２１が設置され、ベース座部１１上方と連結される。
メインパネル１２をレール１２１に沿って移動させ、光源モジュール１３が光を複数の栽培植物２に投射する角度を調整する。複数のレール１２１によりメインパネル１２がベース座部１１上で伸縮でき、メインパネル１２上の光源モジュール１３が照射する光を固定の範囲に位置決めし、その光の強度の必要に応じて角度の調整に効果的に用いることができる。
夜間の使用時はメインパネル１２を引き出し、光源モジュール１３により光源を栽培植物２上に投射させる。昼間の使用しないときはメインパネル１２を収納し、メインパネル１２をベース座部１１上方に隠して一体型植栽緑化壁１全体の外観を平坦に整え、いかなる突出物もない状態にし、花がいっぱいに描かれた壁画のように使用者の鑑賞に供することができる。ここではメインパネル１２が第１面１１ａから突出している。
【００１７】
いくつかの実施例において、メインパネル１２は木製であり、またその他熱を伝導しない材質も使用できる。好ましくは、調整板１２２をアルミニウム材質とすることができるが、これに限らず、例えば鉄等熱を伝導する材質のその他の金属としてもよく、主に調整板１２２により光源モジュール１３が発する熱を吸収し、調整板１２２の面積を利用して熱を効果的に発散させ、光源モジュール１３の熱が蓄積して使用寿命に影響する状況を引き起こさないようにできればよい。
メインパネル１２が木製のとき、光源モジュール１３の熱を遮断できるため、メインパネル１２上方に物品（例えば、光源パラメータの制御に用いる装置等）を置くこともできる（図示しない）。このように、伸縮させて使用したり、上方に物品を置いたり、熱を遮断したりする効果を達することができる。
【００１８】
メインパネル１２の底部にはさらに調整板１２２が設置され、調整板１２２は傾斜エリア１２２ａ部位を備えており（図１、図２参照）、傾斜エリア１２２ａ上に光源モジュール１３が設置される。好ましくは、傾斜エリア１２２ａの傾斜角度は鋭角とすることができ、角度θは６０度としてもよいが、これに限らず、実際の必要に応じて異なる傾斜エリア１２２ａの角度を備えた調整板１２２に交換して使用することができる。
例えば角度θが３０度、または角度θが７５度等の調整板１２２を使用できるが、角度はこれらに限らない。主に異なる調整板１２２に交換した後、異なる角度θによって光源モジュール１３が投射する光を適切な運用の範囲に調整することができる。
【００１９】
光源モジュール１３はメインパネル１２上に設置され、傾斜角度を形成し被照射エリア１１２に向けて栽培植物２上に光を投射するＬＥＤ１３１を備えている。即ち、光源モジュール１３はメインパネル１２の固定位置に沿って角度が調整され、光を栽培植物２に投射する。光源モジュール１３は電源を供給する給電モジュール（図示しない）を含む。光源モジュール１３はさらに制御装置３２を含み（図７参照）、それによりＬＥＤ１３１の光線パラメータを設定することができる。
このパラメータはＬＥＤ１３１のさまざまな光の波長から構成されるスペクトル、光の強度、光の照射時間、光量（Ｌｉｇｈｔ  Ｉｎｔｅｎｓｉｔｙ）、光質（Ｌｉｇｈｔ  Ｑｕａｌｉｔｙ、赤色光／青色光の割合または赤色光／遠赤色光の割合）、給光頻度（Ｆｒｅｑｕｅｎｃｙ）及び負荷率（Ｄｕｔｙ  Ｒａｔｉｏ）のうちのいずれかまたは組み合わせとする。
制御装置３２は好ましくは異なる栽培植物２の必要に応じて連続した点滅のない光または高頻度で点滅する光を提供でき、それにより栽培植物２の生長速度を高め、照明の省エネ性と経済性を一層向上する。いくつかの実施例において、光源モジュール１３は事前のタイマー設定による制御及び手動制御で光を投射させることができる。
【００２０】
給水モジュール１４はベース座部１１上に設置され、複数の栽培植物２に給水するために用いられる。好ましくは、ベース座部１１下方に設置することができ、メインパイプ１４１とサブパイプ１４２が連結され、メインパイプ１４１はベース座部１１の最上端まで延伸され、メインパイプ１４１により上端の第１層の栽培植物２に給水を行い、栽培植物２の水がいっぱいになると、重力により両側と下方に向かって溢れ、その他の栽培植物２に浸入し、最下層の栽培植物２まで流入した後の余った給水はサブパイプ１４２を介して給水モジュール１４へ進入する。
好ましくは、給水モジュール１４は一時間に１回給水を行い、１回の給水は３分間持続するものとできるが、これに限らず、実際の必要に応じて給水回数と時間を調整し、設定することができる。
いくつかの実施例において、給水モジュール１４は事前のタイマー設定による制御及び手動制御で操作することができる。このほか、給水モジュール１４の給水槽の水位が低いとき、警告ランプが点灯し、自動的に給水モジュール１４の給水が切断される。
【００２１】
本発明の植栽緑化壁１は主に一体型構造を使用しており、ベース座部１１、メインパネル１２、光源モジュール１３、給水モジュール１４を結合して植栽緑化壁１システムとしており、住居のあらゆる場所に便利に配置して使用でき、一体型植栽緑化壁１システムを適切な位置に移動した後、すぐに自動的な光の投射や給水など栽培の動作を開始させることができる。別途ランプや給水装置を取り付ける必要はなく、本発明は使用上非常に便利である。
【００２２】
上述を受けて、一体型植栽緑化壁１上の各栽培植物２の生長状況に基づき、メインパネル１２を引き出して伸出させる距離を調整し、光源モジュール１３の投射する光の範囲が葉の生長が比較的短い栽培植物２上にも照射されるようにすることができる。
例えば、光源に近い部分の栽培植物２の生長がより旺盛で、葉も比較的長い場合、メインパネル１２をより長い距離まで引き出して、光源モジュール１３の投射する光の範囲を広くし、投射光が距離のより遠い栽培植物２上まで届くようにして、比較的遠い栽培植物２にも光を照射できる。これによって、生長がより旺盛になり、葉もより長くなるようにすることができ、メインパネル１２の長さを柔軟に調整して使用することが可能である。
【００２３】
メインパネル１２を引き出し、光源モジュール１３で光を照射するとき、前述の異なる角度の傾斜エリア１２２ａの調整板１２２、及びメインパネル１２を引き出す長さの距離の長短により、光を投射する角度と投射する最良の範囲を柔軟に調整することができる。
このような方法で、メインパネル１２を引き出す距離を短くすれば、一体型植栽緑化壁全体の外観がより平らに整い、メインパネル１２を長く引き出したために美観に影響する突出を引き起こすことがない。また、７５度の傾斜エリア１２２ａを備えた調整板１２２に交換することにより、調整板１２２上の光源モジュール１３がより傾斜した投射の角度で、光をより広く投射し、光源モジュール１３から離れた栽培植物２も光の照射を受けることができ、光の調整に便利で、柔軟に投射範囲を調整できる効果がある。
【実施例２】
【００２４】
図６、図７、図８、図９に本発明の実施例２を示す。図６に外観図、図７に立体分解図、図８に正面図、図９に部分拡大図をそれぞれ示す。
【００２５】
本実施例と実施例１の最大の違いは、植栽緑化壁１がさらに通孔１５、空気ガイドモジュール３、殺菌ランプ４を含み、ベース座部１１に配置されていることである。殺菌ランプ４は光触媒５ランプまたは紫外線ランプである。ここでは、ベース座部１１が第１面１１ａと第２面１１ｂを含み（図７参照）、第１面１１ａがここでは前方表面であり、第２面１１ｂがここでは後方表面である。
好ましくは、ベース座部１１が第１面１１ａと第２面１１ｂの間に位置する通路１４を含み、複数の通孔１５に連通される。複数の通孔１５は第１面１１ａと第２面１１ｂの間に位置し、第１面１１ａと第２面１１ｂの空間を相互に連通する。
【００２６】
図７に示すように、メインパネル１２の底部にさらにライトバー１２１ａと固定部材１２１ｂが設置される。好ましくは、ライトバー１２１ａは２種類の色温度を備え、旋回により異なる投射角度を有し、１２０度の角度があることが好ましいが、これに限らない。
固定部材１２１ｂはライトバー１２１ａに結合され、固定部材１２１ｂそのものが角度調整の作用を提供し、好ましくは角度が２７０度であり、ライトバー１２１ａの旋回角度が制限されないようにする。これにより、ライトバー１２１ａは光源モジュール１３のＬＥＤ１３１に組み合わせて使用できる。ＬＥＤ１３１そのものも２種類の色温度を備え、かつ投射角度は４０度とするが、これに限らず、主にライトバー１２１ａとＬＥＤ１３１を異なる角度に調整して投射する光を栽培植物２に適した照射の範囲に調整することができる。
【００２７】
図６に示すように、一体型植栽緑化壁１はさらに１つ以上の加湿噴霧器７を含み、ベース座部１１に設置される。本実施例において、加湿噴霧器はベース座部１１下方に設置された下水槽１１３内に配置されるが、本発明はこれに限らない。
そのうち、加湿噴霧器７には導引管７１が連結され、導引管７１により霧を複数の栽培植物２に導引する。即ち、導引管７１はベース座部１１の第１面１１ａ及び第２面１１ｂの間の分流管（図示しない）に連結され、各分流管が各栽培植物２に向けて噴霧を行う。ここで、加湿噴霧器７の霧を形成する方法は、超音波振動による霧化、または圧電材料方式等で霧化する方法とすることができる。
【００２８】
図１０と図１１に示すように、空気ガイドモジュール３は好ましくは軸流ファンとするが、これに限らず、空気ガイドモジュール３はベース座部１１の第１面１１ａと第２面１１ｂの間に配置され、吸気と排気の効果を提供する。
空気が第１面１１ａから複数の通孔１５を通過して第２面１１ｂへと導流されるとき、複数の栽培植物２を通過して濾過効果を形成し、かつ空気ガイドモジュール３を介して排出される。ここで、ベース座部１１は第２面１１ｂに配置された位置決め部１７を含み、空気ガイドモジュール３の設置に供する。
位置決め部１７は出風口１８を含み、空気ガイドモジュール３が排出する空気の排出に供する。いくつかの実施例において、空気ガイドモジュール３は事前のタイマー設定による制御及び手動制御で操作することができる。
【００２９】
図１０、図１１に示すように、植栽緑化壁１はさらに殺菌ランプ４と光触媒５を含み、殺菌ランプ４はベース座部１１の第１面１１ａと第２面１１ｂの間に配置される。
本実施例において、殺菌ランプ４はベース座部１１の通路１４内に配置される。いくつかの実施例において、殺菌ランプ４は第１面１１ａと第２面１１ｂの間の穿孔（図示しない）に設置してもよい。殺菌ランプ４はＬＥＤ１３１紫外光ランプまたは一般的な従来の紫外線ランプとすることができる。光触媒５は第２面１１ｂに配置され、空気の殺菌効果を高める。
【００３０】
前述の植栽緑化壁１が光触媒５を含むという説明は単に例を挙げたのみであり、いくつかの実施例において、植栽緑化壁１は竹炭を含むことができ、ベース座部１１の第１面１１ａと第２面１１ｂの間に配置し、有機気体（例：フォルムアルデヒド、Ｆｏｒｍａｌｄｅｈｙｄｅ）を吸着して空気を浄化する効果を発揮させるために用いる。
【００３１】
図１０に示すように、植栽緑化壁１はさらに複数のスプリンクラーヘッド６を含み、ベース座部１１の第１面１１ａと第２面１１ｂの間に配置される。スプリンクラーヘッド６は通路１４内に配置され、液体、エアロゾル、精油等の散布機能を提供し、この実施例において、スプリンクラーヘッド６は電解水を散布して空気中の殺菌を行う効果を備える。スプリンクラーヘッド６は事前の設定による定時散布または不定時散布で作用させることができる。
また、いくつかの実施例において、少なくとも１つ以上のスプリンクラーヘッド６をメインパネル１２上に設置し（図１２参照）、かつスプリンクラーヘッド６が光源モジュール１３の両側に位置し、給水モジュール１４に連結され、スプリンクラーヘッド６が栽培植物２の生長する葉の部位に液体水を散布するようにしてもよい。
さらに、いくつかの実施例において、少なくとも１つ以上のスプリンクラーヘッド６を光源モジュール１３（図４参照）またはライトバー１２１ａの側辺（図１３参照）に設置し、光源モジュール１３またはライトバー１２１ａが投射する光線の方向に向けて定時散布または不定時散布させてもよい。
【００３２】
前述のスプリンクラーヘッド６の散布する液体水の説明は例を挙げたのみであり、いくつかの実施例において、スプリンクラーヘッド６は精油、唐辛子等の成分を含有する液体水を散布し、栽培植物２上の害虫を抑制したり、芳香で空間を満たしたりする作用を発揮させてもよい。
【００３３】
上述を受けて、一体型植栽緑化壁１上の各栽培植物２の生長状況に基づき、メインパネル１２を引き出して伸出させる距離を調整し、光源モジュール１３の投射する光の範囲が葉の生長が比較的短い栽培植物２上にも照射されるようにすることができる。
例えば、光源に近い部分の栽培植物２の生長がより旺盛で、葉も比較的長い場合、メインパネル１２をより長い距離まで引き出して、光源モジュール１３の投射する光の範囲を広くし、投射光が距離のより遠い栽培植物２上まで届くようにして、比較的遠い栽培植物２にも光を照射する。こにより、生長がより旺盛になり、葉もより長くなるようにすることができ、メインパネル１２の長さを柔軟に調整して使用することが可能である。
【００３４】
ここで、植栽緑化壁１は主に一体型構造を使用しており、ベース座部１１、メインパネル１２、光源モジュール１３、給水モジュール１４を結合して植栽緑化壁１システムとしており、住居のあらゆる場所に便利に配置して使用でき、一体型植栽緑化壁１を適切な位置に移動した後、すぐに自動的な光の投射や給水など栽培の動作を開始させることができる。別途ランプや給水装置を取り付ける必要はなく、本発明は使用上非常に便利である。
【００３５】
本発明の光源モジュールはメインパネル上に配置されて光を投射するものであり、主に一定角度傾斜させて光を投射させることで、栽培植物上に均一に光が投射され、使用者に光が投射されて目に光の刺激による影響を受けることがない。また一体型植栽緑化壁上の投射光は住居の夜間照明の補助として使用することもでき、住居の夜間照明の使用量を減らして省エネの効果を発揮できる。
また、外部空気が第１面の各栽培植物を経由して通孔から第２面の通路に進入した後、空気の濾過効果が形成され、その後空気ガイドモジュールを利用して濾過後の空気を出風口から排出することで空気の浄化サイクルが形成され、さらに紫外線ランプの照射及び光触媒の殺菌効果により、空気淨化作用を備えた植栽緑化壁システムを提供することができる。
このほか、スプリンクラーヘッドが光源モジュール両側に配置され、給水モジュールに連結されているため、スプリンクラーヘッドから栽培植物の生長する葉の部位に向けて水を散布することができる。
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００３６】
１        植栽緑化壁
１１      ベース座部
１１ａ    第１面
１１ｂ    第２面
１１１    凹槽部
１１２    被照射エリア
１１３    下水槽
１２      メインパネル
１２ａ    サブパネル
１２１    レール
１２１ａ  ライトバー
１２１ｂ  固定部材
１２２    調整板
１２２ａ  傾斜エリア
１３      光源モジュール
１３ａ    補助光源モジュール
１３１    ＬＥＤ
１３２    制御装置
１４      給水モジュール
１４１    メインパイプ
１４２    サブパイプ
１５      通孔
１６      通路
１７      位置決め部
１８      出風口
２        栽培植物
３        空気ガイドモジュール
４        殺菌ランプ
５        光触媒
６        スプリンクラーヘッド
７        加湿噴霧器
７１      導引管
【図１】
2013128483.tif 000003
【図２】
2013128483.tif 000004
【図３】
2013128483.tif 000005
【図４】
2013128483.tif 000006
【図５】
2013128483.tif 000007
【図６】
2013128483.tif 000008
【図７】
2013128483.tif 000009
【図８】
2013128483.tif 000010
【図９】
2013128483.tif 000011
【図１０】
2013128483.tif 000012
【図１１】
2013128483.tif 000013
【図１２】
2013128483.tif 000014
【図１３】
2013128483.tif 000015